(57)【特許請求の範囲】
【請求項１】
視感度特性に近い分光感度特性の定常光測光手段と、前記定常光測光手段とは異なる分光感度特性の複数の測色用測光手段と、前記定常光測光手段の測光出力に基づいて被写体の露出量を決定する露出量決定手段と、前記複数の測色用測光手段の測光出力に基づいて被写体の色を判定し、かつ判定した色に基づいて露出補正量を決定する露出補正量決定手段とを備え、前記露出補正量決定手段は、前記複数の測色用測光手段の測光出力に基づいて少なくとも黄色、青色、赤色を判定し、黄色を判定したときには露出補正量を露出オーバ方向に決定し、青色または赤色を判定したときには露出補正量を露出アンダー方向に決定し、前記露出量決定手段で決定された露出量を前記露出補正量決定手段で決定された露出補正量で補正して適正露出量を決定することを特徴とする測光装置。
【請求項２】
前記露出補正量決定手段は、マゼンタ色、シアン色、緑色を判定したときには露出補正量を零に決定することを特徴とする請求項１に記載の測光装置。
【請求項３】
前記定常光測光手段は５００〜６００ｎｍに感度ピークを有する分光感度特性の定常光用測光センサで構成され、前記測色用測光手段は、青色光を測光する青色用測光センサと、緑色光を測光する緑色用測光センサと、赤色光を測光する赤色用測光センサとを含んで構成されていることを特徴とする請求項１または２に記載の測光装置。
【請求項４】
前記定常光測光手段及び複数の測色用測光手段は、それぞれ測光面が複数の測光エリアに分割され、前記露出量決定手段及び露出補正量決定手段は前記各測光エリア毎に測光した測光出力に基づいて露出量の決定と露出補正量の決定を行うことを特徴とする請求項１ないし３のいずれかに記載の測光装置。
【請求項５】
前記露出補正量決定手段は、前記各測光エリア毎に被写体の色を判定し、かつ判定した色に基づいて各測光エリア毎の露出補正量を決定することを特徴とする請求項４に記載の測光装置。
【請求項６】
前記露出量決定手段は、前記各測光エリア毎に得られた露出補正量を所定の演算処理によって被写体全体に対する露出補正量を決定することを特徴とする請求項５に記載の測光装置。
【請求項７】
前記定常光測光手段と前記複数の測色用測光手段は、一眼レフカメラのペンタプリズムの接眼光学系側に配置されており、少なくとも前記定常光測光手段は前記ペンタプリズムの中央上部に配置されていることを特徴とする請求項３ないし６のいずれかに記載の測光装置。
【請求項８】
前記ペンタプリズムの接眼光学系側の中央上部には、前記定常光用測光センサと緑色用測光センサが並んで配置され、前記ペンタプリズムの接眼光学系の左右位置には前記青色用測光センサと赤色用測光センサがそれぞれ配置されていることを特徴とする請求項７に記載の測光装置。
【請求項９】
前記定常光測光手段は前記緑色用測光センサと兼用され、前記緑色用測光センサの測光出力を前記定常光測光手段の測光出力とすることを特徴とする請求項３ないし８のいずれかに記載の測光装置。
【請求項１０】
前記ペンタプリズムの接眼光学系の中央上部には前記緑色用測光センサが配置され、前記ペンタプリズムの接眼光学系の左右位置には前記青色用測光センサと赤色用測光センサがそれぞれ配置されていることを特徴とする請求項９に記載の測光装置。
【発明の詳細な説明】
【０００１】
【発明の属する技術分野】
本発明は一眼レフカメラに適用して好適な測光装置に関し、特に被写体の色による反射率の相違による露出誤差を解消してカメラ撮影での適正露出を得ることを可能にした測光装置に関する。
【０００２】
【従来の技術】
近年のカメラに備えられている測光装置は反射光式測光装置と称されるものが殆どであり、この反射光式測光装置は、被写体で反射された光をカメラの観察光学系を通して測光素子で測光し、その測光値に基づいて被写体の輝度を測定し、さらにこの測定値に基づいてカメラでの露出制御値を算出している。しかし、この種の測光装置は、その原理上被写体の光反射率を知ることができないため、被写体の光反射率を一定の値、例えば１８％と仮定して露出制御値を算出することが行われている。このため、光反射率が１８％よりも高い白っぽい被写体は高輝度に測定し、これに応じて露出を制限するためにアンダーに露光されてしまい、逆に光反射率が１８％よりも低い黒っぽい被写体は露出を増加させるためにオーバに露光されてしまうことになる。また、このような被写体における光反射率の違いは、前記したような白っぽい場合或いは黒っぽい場合に限られるものではなく、被写体の色の相違によっても生じている。例えば、被写体の色が黄色の場合には、光反射率が７０％にも達するため、標準露出を前記したように１８％の被写体反射率におけると仮定すると、約２Ｅｖの露出アンダーとなる。逆に、被写体の色が青色の場合には光反射率が９％程度であるため、約１Ｅｖの露出オーバとなる。
【０００３】
【発明が解決しようとする課題】
このため、従来の測光装置では、撮影者が被写体の光反射率を推測し、被写体が白っぽい場合、あるいは黄色のように光反射率が高い場合にはオーバ目に、また逆に被写体が黒っぽい場合、あるいは青色のように光反射率が低い場合にはアンダー目となるような露出補正を可能にした露出補正装置を備えた測光装置が提案されている。このような露出補正を行うことにより、前記した問題を解消することは可能であるが、このような被写体での光反射率を推測して露出補正を行うためにはある程度の経験や熟練を必要とし、全ての撮影者がこのような露出補正を行うことは実際には不可能であり、しかも露出補正に際して撮影者の手操作が必要とされることは、近年における自動撮影を可能にしたカメラの測光装置として好ましいものではない。
【０００４】
本発明の目的は、被写体の光反射率の相違にかからわずカメラ撮影での適正露出を可能とした測光装置を提供するものである。
【０００５】
【課題を解決するための手段】
本発明の測光装置は、視感度特性に近い分光感度特性の定常光測光手段と、前記定常光測光手段とは異なる分光感度特性の複数の測色用測光手段と、前記定常光測光手段の測光出力に基づいて被写体の露出量を決定する露出量決定手段と、前記複数の測色用測光手段の測光出力に基づいて被写体の色を判定し、かつ判定した色に基づいて露出補正量を決定する露出補正量決定手段とを備えており、前記露出量決定手段は、少なくとも黄色、青色、赤色を判定可能とし、黄色を判定したときには露出補正量を露出オーバ方向に決定し、青色または赤色を判定したときには露出補正量を露出アンダー方向に決定し、露出量決定手段で決定された露出量を前記露出補正量決定手段で決定された露出補正量で補正して適正露出量を決定することを特徴とする。また、マゼンタ色、シアン色、緑色を判定したときには露出補正量を零に決定する。
【０００６】
ここで、前記定常光測光手段は５００〜６００ｎｍに感度ピークを有する分光感度特性の定常光用測光センサで構成され、前記測色用測光手段は、青色光を測光する青色用測光センサと、緑色光を測光する緑色用測光センサと、赤色光を測光する赤色用測光センサとを含んで構成される。これにより、被写体の色の相違、すなわち被写体の光反射率が相違することによる露出誤差が解消され、被写体の色の違いにかかわらず常に適正な露出を得ることが可能となる。
【０００７】
さらに、本発明においては、前記定常光測光手段及び複数の測色用測光手段は、それぞれ測光面が複数の測光エリアに分割され、前記露出量決定手段及び露出補正量決定手段は前記各測光エリア毎に測光した測光出力に基づいて露出量の決定と露出補正量の決定を行うことが好ましい。この場合、前記各測光エリアごとに被写体の色を判定し、かつ判定した色に基づいて各測光エリアごとの露出補正量を決定する。さらに、前記各測光エリアごとに得られた露出補正量を所定の演算処理によって被写体全体に対する露出補正量を決定する。このため、被写体の色が一の色に偏っている場合、あるいは多色で構成される場合のいずれの場合でも適正な露出補正量の決定が可能となる。
【０００８】
また、本発明の測光装置を一眼レフカメラの測光装置として適用する場合には、前記定常光測光手段と前記複数の測色用測光手段は、一眼レフカメラのペンタプリズムの接眼光学系側に配置され、少なくとも前記定常光測光手段は前記ペンタプリズムの中央上部に配置される。すなわち、以上の構成の測光装置の場合には、一眼レフカメラのペンタプリズムの接眼光学系側の中央上部には、前記定常光の測光手段としての定常光用測光センサと緑色用測光センサが並んで配置され、前記ペンタプリズムの接眼光学系の左右位置には前記青色用測光センサと赤色用測光センサがそれぞれ配置される。また、前記定常光測光手段は前記緑色用測光センサと兼用され、前記緑色用測光センサの測光出力を前記定常光測光手段の測光出力とする構成も可能である。この場合には、前記ペンタプリズムの接眼光学系の中央上部には前記緑色用測光センサが配置され、前記ペンタプリズムの接眼光学系の左右位置には前記青色用測光センサと赤色用測光センサがそれぞれ配置される。この構成では、定常光用測光センサを省略することが可能であり、測光センサの個数が低減でき、コスト削減及び配置スペースの低減に伴うカメラの小型化が可能となる。
【０００９】
【発明の実施の形態】
次に、本発明の実施形態を図面を参照して説明する。図１は本発明をレンズ交換式一眼レフカメラの測光装置に適用した実施形態の模式的な斜視図、図２はその要部の側面構成図であり、撮影レンズ２が着脱されるカメラボディ１内には、クイックリターンミラー３、ピントグラス４、ペンタプリズム（又はペンタミラー）５、及び接眼光学系６が内装されている。前記クイックリターンミラー３の一部はハーフミラー部３ａとして構成され、撮影レンズ２で結像される被写体光の一部を前記ハーフミラー部３ａを透過し、かつ補助反射ミラー７で反射して測距装置８に導いている。この測距装置はＡＦ（自動焦点）制御を行うために用いられる。また、前記ペンタプリズム５には、後述するように、前記接眼光学系６側の面の４箇所に合計４個の測光素子として機能する測光センサ９が配設されており、それぞれ前記撮影レンズ２により結像される被写体光の一部を受光し、かつ測光を行うように構成される。さらに、前記撮影レンズ２とカメラボディ１とは電気接点部１０を介して相互に電気接続されており、前記撮影レンズ２に内蔵されているレンズＲＯＭ１１は、前記カメラボディ１に内蔵されているＣＰＵで構成される制御回路２０に電気接続されている。前記カメラボディ１の外面にはＬＣＤ（液晶）表示器２１、レリーズボタン２２を含む各種操作ボタンが設けられる。なお、カメラボディ１内に設けられているフィルムの巻上げ機構を始めとする他のカメラ機構については、ここでは説明を省略する。
【００１０】
前記４個の測光センサ９は、図３（ａ）にカメラ背面側から見た図を示すように、前記ペンタプリズム５の接眼光学系側の上部中央に配置された２個の測光センサ９Ｄ，９Ｇと、下側の左右端にそれぞれ１個ずつ配置された２個の測光センサ９Ｂ，９Ｒとで構成されている。前記各測光センサ９Ｄ，９Ｇ，９Ｂ，９ＲはＦＰＣ（フレキシブルプリント回路基板）９１に搭載されて前記各位置に固定支持されており、かつ各測光センサ９Ｄ，９Ｇ，９Ｂ，９Ｒの前面に配置された集光レンズ９２によってそれぞれ被写体像を各測光センサ９Ｄ，９Ｇ，９Ｂ，９Ｒの測光面に結像するように構成されている。また、前記各測光センサ９Ｄ，９Ｇ，９Ｂ，９Ｒは、それぞれ図４（ａ）のように、被写体画面を複数の領域、ここでは中心領域Ａ０、その左右領域Ａ１，Ａ２、上下領域Ａ３，Ａ４、さらに四周囲領域Ａ５の６つの測光エリアに区画し、測光面が前記各測光エリアＡ０〜Ａ５に対応して分離形成されてアンプＡＭＰと一体に形成されたプレーナ構造の測光ＩＣチップとして形成されている。そして、図４（ｂ）に示すように、各測光エリアＡ０〜Ａ５に結像した被写体からの反射光量を測光するように構成される。その上で、前記測光センサ９Ｇは測光面に緑色のフィルタが配設されて緑色光を主体に受光するＧ用の測光センサとして、他の１つの測光センサ９Ｂは測光面に青色のフィルタが配設されて青色光を主体に受光するＢ用の測光センサとして、さらに他の１つの測光センサ９Ｒには赤色のフィルタが配設されて赤色を主体に受光するＲ用の測光センサとしてそれぞれ構成されている。ここで前記３つのＧ用、Ｂ用、Ｒ用の各測光センサ９Ｇ，９Ｂ，９Ｒは測色素子（測色センサ）として構成されており、各測光センサに配設されている緑色、青色、赤色のフィルタの分光透過率特性は、ここでは図５に示す特性のものが用いられており、それぞれ、ほぼ５４０ｎｍ、４２０ｎｍ、６２０ｎｍに透過率ピークを有している。なお、残りの１つの測光センサ９Ｄには色フィルタは配設されていないが、視感度補正フィルタによりその分光受光特性は、図５のように５００〜６００ｎｍの範囲に感度ピークを有する視感度分布特性に近い特性に設定され、定常光を測光する定常光用測光素子としての定常光用測光センサとして構成されている。
【００１１】
図６は前記カメラの主要部の回路構成を示すブロック回路図である。前記４つの測光センサ９Ｄ，９Ｇ，９Ｂ，９Ｒは制御回路２０に対して、定常光とＲＧＢの各色光を測光した測光値を出力する。また、前記測距装置８の出力を測距値として前記制御回路２０に出力し、ＡＦ装置２５による自動焦点制御を実行させる。一方、前記制御装置２０には、前記レリーズボタン２２の半押し、全押しに追従して順序的にオン動作される測光スイッチＳＷＳ、及びシャッタレリーズスイッチＳＷＲからのスイッチ情報信号が入力され、レリーズボタン２２の半押しによってオンする測光スイッチＳＷＳからのスイッチ情報信号が入力されたときに、所要のアルゴリズムでの測光演算を行い、この演算に基づいて露出値を算出する。そして、この算出した露出値に基づいて露出制御装置２３を制御し、撮影を実行する。また、算出した露出値は、表示ドライバ２４を駆動して前記ＬＣＤ表示器２１に表示する。なお、前記制御回路２０内には、後述する測光演算に必要とされる各種の値を予め記憶しているＥＥＰＲＯＭ（電気的に書き換え可能なＲＯＭ）２６と、一時的に各種データを記憶するＲＡＭ２７が内蔵されている。
【００１２】
以上の構成のカメラにおける測光装置の測光動作を説明する。図７は測光動作のゼネラルフローチャートであり、先ず、このゼネラルフローチャートを用いて測光の全体の流れを説明する。ステップＳ１１においてレリーズボタン２２の半押しによりオンされる測光スイッチＳＷＳのオンを確認すると、レンズ通信処理Ｓ１２を実行し、制御回路２０はカメラボディ１に装着されている撮影レンズ２の固有情報を取り込む。この固有情報は撮影レンズ２の開放絞りやレンズ焦点距離等のように、撮影レンズ２の種類に応じて測光演算に影響を与える固有の情報として、撮影レンズ２に内蔵のレンズＲＯＭ１１から電気接点部１０を介して入力される。次いで、測光センサ出力Ｂｖｄ演算処理Ｓ１３を実行する。この測光センサ出力Ｂｖｄ演算処理Ｓ１３では、撮影レンズ２及びカメラボディ１内のクイックリターンミラー３、ペンタプリズム５を通して前記各測光センサ９（９Ｄ，９Ｇ，９Ｂ，９Ｒ）で測光して得られるアナログデータの測光値を、制御回路２０での演算に用いることが可能なデジタルデータの測光値Ｂｖｄに変換演算する。次いで、前記測光センサ出力Ｂｖｄ演算処理Ｓ１３で得られた測光値Ｂｖｄと、レンズ通信処理Ｓ１２で取り込んだ前記撮影レンズ２の固有情報とを用いて開放測光補正演算処理Ｓ１４を実行し、撮影レンズ２の違いによる測光誤差を無くす。
【００１３】
次いで、露出値演算処理Ｓ１５において、前記測光センサ出力Ｂｖｄ演算処理Ｓ１３で得られた定常光用測光センサ９Ｄでの測光値Ｂｖｄに基づき露出値Ｌｖｄを算出する。この露出値演算処理Ｓ１５では、撮影時の条件、例えば、逆光撮影、撮影倍率、撮影シーン等に基づいて露出値Ｌｖｄを演算するためのパラメータを算出し、かつこのパラメータに基づいて露出値Ｌｖｄを算出する。また一方で、前記測光センサ出力Ｂｖｄ演算処理Ｓ１３で得られたＲＧＢの各色用測光センサの測光値Ｂｖｄに基づいて測色処理Ｓ１６を行い、被写体の色を測色するとともに、測色した色に基づく測色補正値ＣＣを算出する。そして、露出値測色補正処理Ｓ１７では、前記測色補正値ＣＣに基づいて露出値演算処理Ｓ１５で求めた露出値Ｌｖｄを補正する。しかる後、レリーズスイッチＳＷＲのオンを確認すると（Ｓ１８）、ステップＳ１７で得られた露出値Ｌｖｄに基づいて露出制御装置２３が露出制御を行い（Ｓ２０）、カメラでの撮影を実行する。なお、レリーズスイッチＳＷＲがオンされないときには、測光タイマのＯＦＦを検出し（Ｓ１９）、測光タイマにより所定時間が経過するまでは前記ステップＳ１２以降のフローを繰り返し、所定時間が経過したときには、ステップＳ１１に戻る。
【００１４】
以下、前記ゼネラルフローチャートの各処理を個々に説明する。先ず、レンズ通信処理Ｓ１２のフローチャートを図８に示す。レンズ通信処理Ｓ１２では、測光スイッチＳＷＳのオンを制御回路２０が検出すると、電気接点部１０を介して撮影レンズ２のレンズＲＯＭ１１に対してアクセスし、当該レンズＲＯＭ１１に記憶されている撮影レンズ２の固有情報を読み出し（Ｓ１０１）、制御回路２０のＲＡＭ２７に格納する。ここで、撮影レンズの固有情報としては、「レンズ種類」，「レンズデータ」，「最短撮影距離」，「撮影距離」，「レンズ焦点距離」，「射出瞳位置」，「開放Ｆナンバー」，「開口効率」等のデータがレンズＲＯＭ１１に記憶されており、この実施形態では前記制御回路２０はこれらの情報のうち、少なくとも「レンズ焦点距離」，「射出瞳位置」，「開放絞り」，「開口効率」を読み出してＲＡＭ２７に記憶する。
【００１５】
前記測光センサ出力Ｂｖｄ演算処理Ｓ１３のフローチャートを図９に示す。この測光センサ出力Ｂｖｄ演算処理Ｓ１３では、先ず、前記４個の測光センサ９Ｄ，９Ｇ，９Ｂ，９Ｒのうち、定常光用測光素子としての定常光用測光センサ９Ｄにおける、図４に示した各測光エリアＡｉ（ｉ＝０〜５）のそれぞれの出力電圧値（アナログデータ）をＡ／Ｄ変換した値Ｂｖａｄ〔ｉ〕として得るとともに、測色素子としての、他の３個のＧ，Ｂ，Ｒ用の各測光センサ９Ｇ，９Ｂ，９Ｒの各測光エリアＡｉ（ｉ＝０〜５）のそれぞれの出力電圧値（アナログデータ）をそれぞれＡ／Ｄ変換したＢｖａｄ・ｇ〔ｉ〕、Ｂｖａｄ・ｂ〔ｉ〕、Ｂｖａｄ・ｒ〔ｉ〕を得る。しかる上で、前記定常光用測光センサ９ＤのＡ／Ｄ変換値Ｂｖａｄ〔ｉ〕を輝度に応じた測光値Ｂｖｄ（ｉ）に調整する（ステップＳ１１１）。また、他の３個のＧ，Ｂ，Ｒ用の各測光センサ９Ｇ，９Ｂ，９ＲのＡ／Ｄ変換値Ｂｖａｄ・ｇ〔ｉ〕、Ｂｖａｄ・ｂ〔ｉ〕、Ｂｖａｄ・ｒ〔ｉ〕もそれぞれ輝度に応じた測光値Ｂｖｄ・ｇ〔ｉ〕、Ｂｖｄ・ｂ〔ｉ〕、Ｂｖｄ・ｒ〔ｉ〕に調整する（Ｓ１１２）。なお、前記ステップＳ１１１，Ｓ１１２におけるＡ／Ｄ変換は、各出力電圧値（アナログデータ）を検出レベルに対応したデジタルデータに変換するという、通常行われているＡ／Ｄ変換技術が適用される。
【００１６】
前記開放測光補正演算処理Ｓ１４のフローチャートを図１０に示す。前記レンズ通信処理Ｓ１２において、撮影レンズ２のレンズＲＯＭ１１から読み出して制御回路２０のＲＡＭ２７に記憶した「レンズ焦点距離」，「射出瞳位置」，「開放絞り」，「開口効率」に基づいて、開放測光補正値Ｍｎｄ１〔ｉ〕を算出する（Ｓ１２１）。この開放測光補正値Ｍｎｄ〔ｉ〕の算出方法は、本願出願人が先に特開昭６３−２７１２３９号公報で提案しているところであるが、簡単に説明すれば、個々のカメラボディ毎の光学特性の違いと、前記「レンズ焦点距離」，「射出瞳位置」，「開放絞り」，「開口効率」のそれぞれとの違いに起因する基準測光値からのずれ量を補正するための補正値ｍｖ１，ｍｖ２，ｍｖ３，ｍｖ４をそれぞれ計算し、これらの補正値の総和ｍｖ１＋ｍｖ２＋ｍｖ３＋ｍｖ４を開放測光補正値Ｍｎｄ１〔ｉ〕とする。また、この開放測光補正値Ｍｎｄ１〔ｉ〕は、測光センサ９Ｇ，９Ｂ，９Ｒに対応して、それぞれＭｎｄ１・ｇ〔ｉ〕、Ｍｎｄ１・ｂ〔ｉ〕、Ｍｎｄ１・ｒ〔ｉ〕とする。
【００１７】
しかる上で、前記測光センサ出力Ｂｖｄ演算処理Ｓ１３で得られた測光値Ｂｖｄ〔ｉ〕に前記開放測光補正値Ｍｎｄ１〔ｉ〕を加算し、その加算結果を新たな測光値Ｂｖｄ〔ｉ〕とする。すなわち、
Ｂｖｄ〔ｉ〕＝Ｂｖｄ〔ｉ〕＋Ｍｎｄ１〔ｉ〕
の演算を行う（Ｓ１２１）。同様に、測光センサ出力Ｂｖｄ演算処理Ｓ１３で得られたＧ，Ｂ，Ｒ用の各測光センサ９Ｇ，９Ｂ，９Ｒの測光値Ｂｖｄ・ｇ〔ｉ〕、Ｂｖｄ・ｂ〔ｉ〕、Ｂｖｄ・ｒ〔ｉ〕に対しても、それぞれ開放測光補正値Ｍｎｄ１・ｇ〔ｉ〕、Ｍｎｄ１・ｂ〔ｉ〕、Ｍｎｄ１・ｒ〔ｉ〕を加算し、それぞれを新たな測光値とする。すなわち、
Ｂｖｄ・ｇ〔ｉ〕＝Ｂｖｄ・ｇ〔ｉ〕＋Ｍｎｄ１・ｇ〔ｉ〕
Ｂｖｄ・ｂ〔ｉ〕＝Ｂｖｄ・ｂ〔ｉ〕＋Ｍｎｄ１・ｂ〔ｉ〕
Ｂｖｄ・ｒ〔ｉ〕＝Ｂｖｄ・ｒ〔ｉ〕＋Ｍｎｄ１・ｒ〔ｉ〕
の演算を行う。この結果、各測光値はそれぞれ、撮影レンズ２とカメラボディ１との組合せによって生じる各撮影レンズ２の個体差による測光値への影響が解消された測光値となる（Ｓ１２２）。
【００１８】
前記露出値演算処理Ｓ１５のフローチャートを図１１に示す。この処理では、前処理までに得られた測光値のうち、測光値Ｂｖｄ〔ｉ〕に対し、実際に撮影を行う際の条件によって測光値を補正し、この補正により適正な露出値Ｌｖｄを得るための処理である。すなわち、定常光用測光センサ９Ｄの測光エリアＡ０〜Ａ５の各測光値Ｂｖｄ〔ｉ〕を相互に比較し、あるいは総体的に検出することで、撮影する状態が、逆光撮影、夕暮れ撮影、夜景撮影等のいずれの状態の蓋然性が高いものであるかを判定し、その判定結果に基づいて各測光値Ｂｖｄ〔ｉ〕に対して重み付けを行い、あるいは一つの測光値のみを採用する等の手法により、当該撮影状態に好適な露出値Ｌｖｄとして演算する処理である。この露出値を得るための補正手法としては、これまでにも種々の手法が提案されているが、この実施形態では、各測光値Ｂｖｄ〔ｉ〕から露出値算出用のパラメータを算出する（Ｓ１３１）。すなわち、パラメータの高輝度リミット（Ｓ１３２）、逆光判定（Ｓ１３３）、重み付けパラメータ算出（Ｓ１３４）、撮影倍率チェック（Ｓ１３５）  、撮影シーン判定（Ｓ１３６）、撮影シーン高輝度時プラス補正（Ｓ１３７）についてそれぞれの補正値を算出し、かつその算出したパラメータと前記測光値Ｂｖｄ〔ｉ〕とで露出値Ｌｖｄを算出する（Ｓ１３８）。
【００１９】
前記測色処理Ｓ１６のフローチャートを図１２に示す。この測色処理Ｓ１６では、前記したように被写体の色を測色するとともに、測色した色に基づく測色補正値ＣＣを算出する。この測色処理Ｓ１６は、測色パラメータの初期化を行った後（Ｓ２１）、被写体を照明している光源の色温度等によって測色値が相違するため、この光源の影響を無くすための補正値を得るための光源補正値演算処理Ｓ２２と、得られた光源補正値により補正処理を行う光源差補正処理Ｓ２３と、後工程の測色演算で用いるための測色パラメータを得るための測色パラメータ算出処理Ｓ２４と、測色で使用する定数を設定するための測色定数設定処理Ｓ２５と、前記各処理で得られた補正値、パラメータ、定数に基づいて測色判定を行なう測色判定処理Ｓ２６と、判定された色に基づいて測光センサの各測光エリアＡ０〜Ａ５のそれぞれにおける測色補正値ＣＣ〔ｉ〕を演算する領域測色補正値演算処理Ｓ２７と、各測光エリアのそれぞれの測色補正値ＣＣ〔ｉ〕に基づいて全体としての測色補正値ＣＣを演算するＣＣ演算処理Ｓ２８とを順序的に実行するフローとなっている。なお、この測色処理の詳細は後述する。
【００２０】
そして、図７に示した前記露出値測色補正処理Ｓ１７では、前記測色処理Ｓ１６で演算された全体としての測色補正値ＣＣに基づいて露出値演算処理Ｓ１５で求めた露出値Ｌｖｄを補正し、最終的な露出値Ｌｖｄとする。すなわち、
Ｌｖｄ＝Ｌｖｄ＋ＣＣ
の演算を実行する。
【００２１】
次に、前記測色処理Ｓ１６の図１２に示した前記各処理Ｓ２２〜Ｓ２８について説明する。前記光源補正値演算処理Ｓ２２のフローチャートを図１３に示す。この光源補正値演算処理Ｓ２２は測光センサ９のＢｖｄ値を基準設定する際に調整用光源（Ａ光源）を使用しているため、実際に撮影を行う光源、主に太陽光を受光した場合におけるＢｖｄ値のずれを補正する補正値を演算するためのものである。ここでは、Ｇ（緑色）を基準にして、Ｇに対するＢ（青色）とＲ（赤色）の相対的な光源補正値を求めている。先ず、ＧＢＲのそれぞれについて、光源データＢｖｄ・ｌｉｇｈｔ・ｇ、Ｂｖｄ・ｌｉｇｈｔ・ｂ、Ｂｖｄ・ｌｉｇｈｔ・ｒを制御回路２０のＥＥＰＲＯＭ２６から読み込む（Ｓ１４１）。ついで、Ｇを基準としたときのＢ用の測光センサ９Ｂの光源調整値ａｄｊ・ｓｕｎ・ｂと、同じくＲ用の測光センサ９Ｒの光源調整値ａｄｊ・ｓｕｎ・ｒをそれぞれＥＥＰＲＯＭ２６から読み出す（Ｓ１４２）。ここで、前記各光源調整値は次の通りである。
ａｄｊ・ｓｕｎ・ｂ＝＋８
ａｄｊ・ｓｕｎ・ｒ＝−４
ただし、前記した測光センサ９の調整をＡ光源ではなく、太陽光相当の光源で行った場合には、これらの光源調整値はそれぞれ「０」となる。
【００２２】
しかる上で、前記光源データと光源調整値とから、Ｂ用の測光センサ９Ｂの光源補正値ｌｉｇｈｔ・ｇｂを、
ｌｉｇｈｔ・ｇｂ＝Ｂｖｄ・ｌｉｇｈｔ・ｇ−Ｂｖｄ・ｌｉｇｈｔ・ｂ＋ａｄｊ・ｓｕｎ・ｂ
の式から求める。同様に、Ｒ用の測光センサ９Ｒの光源補正値ｌｉｇｈｔ・ｇｒを、
ｌｉｇｈｔ・ｇｒ＝Ｂｖｄ・ｌｉｇｈｔ・ｇ−Ｂｖｄ・ｌｉｇｈｔ・ｒ＋ａｄｊ・ｓｕｎ・ｒ
の式から求める。これにより、ＢとＲの各光源補正値ｌｉｇｈｔ・ｇｂ、ｌｉｇｈｔ・ｇｒが求められる（Ｓ１４３，Ｓ１４４）。
【００２３】
前記光源差補正処理Ｓ２３のフローチャートを図１４に示す。ここでは、前記光源補正値演算処理Ｓ２２で求められたＢとＲの各光源補正値に基づいて、Ｂ用測光センサ９Ｂと、Ｒ用測光センサ９Ｒの各測光エリアＡ０〜Ａ５でそれぞれ測光して得られる測光値Ｂｖｄ・ｂ〔ｉ〕とＢｖｄ・ｒ〔ｉ〕、（ｉ＝０〜５）について光源差補正を行う。先ず、Ｂ用測光センサ９Ｂの各測光エリアについて、Ｂｖｄ・ｂ〔ｉ〕＝Ｂｖｄ・ｂ〔ｉ〕＋ｌｉｇｈｔ・ｇｂ
を計算する（Ｓ１５１）。次いで、同様に、Ｒ用測光センサ９Ｒの各測光エリアについて、
Ｂｖｄ・ｒ〔ｉ〕＝Ｂｖｄ・ｒ〔ｉ〕＋ｌｉｇｈｔ・ｇｒ
を計算する（Ｓ１５２）。これにより、Ｂ用とＲ用の各測光センサ９Ｂ，９Ｒの測光出力に補正が加えられることになり、Ｇ，Ｂ，Ｒ用の各測光センサ９Ｇ，９Ｂ，９Ｒの各測光出力は、太陽光に対して等しい測光特性に基準化される。
【００２４】
前記測色パラメータ算出処理Ｓ２４のフローチャートを図１５に示す。ここでは、光源差補正された各測光センサの出力から、後の処理フローでの測色判定で使用する測色パラメータを算出する。測色パラメータとして、Ｇ用の測色パラメータＧｆ〔ｉ〕、Ｂ用の測色パラメータＢｆ〔ｉ〕、Ｒ用の測色パラメータＲｆ〔ｉ〕が算出される（Ｓ１６１，Ｓ１６２，１６３）。算出式は次の通りである。
Ｇｆ〔ｉ〕＝Ｂｖｄ・ｇ〔ｉ〕−（Ｂｖｄ・ｂ〔ｉ〕＋Ｂｖｄ・ｒ〔ｉ〕）／２
Ｂｆ〔ｉ〕＝Ｂｖｄ・ｂ〔ｉ〕−（Ｂｖｄ・ｇ〔ｉ〕＋Ｂｖｄ・ｒ〔ｉ〕）／２
Ｒｆ〔ｉ〕＝Ｂｖｄ・ｒ〔ｉ〕−（Ｂｖｄ・ｂ〔ｉ〕＋Ｂｖｄ・ｇ〔ｉ〕）／２
【００２５】
前記測色定数設定処理Ｓ２５のフローチャートを図１６に示す。ここでは前工程と同様に、後の処理フローでの測色判定で使用する測色定数をＥＥＰＲＯＭ２６から読み出す。測色定数としては、測色判定用しきい値、測色判定用係数、測色補正値ＣＣ算出用係数、測色補正値ＣＣ算出用調整値である。各測色定数は次のように示される。
測色判定用しきい値：判定値・＊１〔ｉ〕
測色判定用係数：係数・＃１〔ｉ〕，係数・＃２〔ｉ〕
測色補正値ＣＣ算出用係数：ＣＣ係数・＊１〔ｉ〕
測色補正値ＣＣ算出用調整値：ＣＣ調整値・＊１〔ｉ〕
ここで、＊はｇ，ｂ，ｒ，ｍ，ｙ，ｃを示し、＃はｇ，ｂ，ｒを示している。なお、ｇは緑色、ｂは青色、ｒは赤色であることはこれまでと同様であるが、ｍはマゼンタ色、ｙは黄色、ｃはシアン色を示している。また、この処理においては、各測光センサの各測光エリアＡ０〜Ａ５のそれぞについて測色定数を設定しており、したがって、その処理フローとしては、最初にｉ＝０に設定し（Ｓ１７１）、前記各設定値をＥＥＰＲＯＭ２６から読み出した上で（Ｓ１７３〜Ｓ１７６）、ｉを１加算する演算（ｉ＝ｉ＋１）を行い（Ｓ１７７）、同様にｉ＝５に達するまで繰り返し読み出す（Ｓ１７２）。なお、この読み出した値は制御回路２０のＲＡＭ２７に記憶する。前記した各測色定数の一例を図１７に示す。
【００２６】
前記測色判定処理Ｓ２６を図１８及び図１９のフローチャートに基づいて説明する。この測色判定処理Ｓ２６では、Ｇ，Ｂ，Ｒ用の各測光センサ９Ｇ，９Ｂ，９Ｒの各対応する測光エリアＡ０〜Ａ５毎に測色を行っており、結果として各測光エリアＡ０〜Ａ５で測光した被写体の色を判定している。すなわち、図１８の左フローにおいて、ｉ＝０に設定し（Ｓ１８１）、以後ｉ＝５に達するまで（Ｓ１８２）、フローを繰り返す。ここで、色〔ｉ〕は色パラメータとし、色・ｍａｘ〔ｉ〕と色・ｍｉｎ〔ｉ〕はそれぞれ判定色パラメータとする。先ず、色パラメータの色〔ｉ〕を無色とした上で（Ｓ１８３）、Ｒｆ〔ｉ〕＜判定値・ｃ１〔ｉ〕を判断する（Ｓ１８４）。条件を満たすときには、｜Ｂｆ〔ｉ〕−Ｇｆ〔ｉ〕｜＜｜係数・ｒ１〔ｉ〕×Ｒｆ〔ｉ〕｜を判断し（Ｓ１８５）、この条件を満たすときには、色・ｍｉｎ〔ｉ〕＝Ｒｆ〔ｉ〕とする（Ｓ１８６）。また、ステップＳ１８４，Ｓ１８５でいずれも条件を満たさないときには、Ｇｆ〔ｉ〕＜判定値・ｍ１〔ｉ〕を判断する（Ｓ１８７）。条件を満たすときには、｜Ｂｆ〔ｉ〕−Ｒｆ〔ｉ〕｜＜｜係数・ｇ１〔ｉ〕×Ｇｆ〔ｉ〕｜を判断し（Ｓ１８８）、この条件を満たすときには、色・ｍｉｎ〔ｉ〕＝Ｇｆ〔ｉ〕とする（Ｓ１８９）。また、ステップＳ１８７，Ｓ１８８でいずれも条件を満たさないときには、Ｇｆ〔ｉ〕＞判定値・ｇ１〔ｉ〕を判断する（Ｓ１９０）。条件を満たすときには、｜Ｂｆ〔ｉ〕−Ｒｆ〔ｉ〕｜＜｜係数・ｇ２〔ｉ〕×Ｇｆ〔ｉ〕｜を判断し（Ｓ１９１）、この条件を満たすときには、色・ｍａｘ〔ｉ〕＝Ｇｆ〔ｉ〕とする（Ｓ１９２）。
【００２７】
さらに、図１８の右フローにおいて、ステップＳ１９０，Ｓ１９１でいずれも条件を満たさないときには、Ｂｆ〔ｉ〕＞判定値・ｂ１〔ｉ〕を判断する（Ｓ１９３）。条件を満たすときには、｜Ｇｆ〔ｉ〕−Ｒｆ〔ｉ〕｜＜｜係数・ｂ２〔ｉ〕×Ｂｆ〔ｉ〕｜を判断し（Ｓ１９４）、この条件を満たすときには、色・ｍａｘ〔ｉ〕＝Ｂｆ〔ｉ〕とする（Ｓ１９５）。また、ステップＳ１９３，Ｓ１９４でいずれも条件を満たさないときには、Ｒｆ〔ｉ〕＞判定値・ｒ１〔ｉ〕を判断する（Ｓ１９６）。条件を満たすときには、｜Ｂｆ〔ｉ〕−Ｇｆ〔ｉ〕｜＜｜係数・ｒ２〔ｉ〕×Ｒｆ〔ｉ〕｜を判断し（Ｓ１９７）、この条件を満たすときには、色・ｍａｘ〔ｉ〕＝Ｒｆ〔ｉ〕とする（Ｓ１９８）。さらに、ステップＳ１９６，Ｓ１９７でいずれも条件を満たさないときには、Ｂｆ〔ｉ〕＜判定値・ｙ１〔ｉ〕を判断する（Ｓ１９９）。条件を満たすときには、｜Ｇｆ〔ｉ〕−Ｒｆ〔ｉ〕｜＜｜係数・ｂ１〔ｉ〕×Ｂｆ〔ｉ〕｜を判断し（Ｓ２００）、この条件を満たすときには、色・ｍｉｎ〔ｉ〕＝Ｂｆ〔ｉ〕とする（Ｓ２０１）。このフローを前記したようにｉ＝０〜５まで行うことで、各測光エリアＡ０〜Ａ５についてそれぞれ色・ｍａｘ〔ｉ〕と色・ｍｉｎ〔ｉ〕が得られる。
【００２８】
そして、得られた色・ｍａｘ〔ｉ〕と色・ｍｉｎ〔ｉ〕について、図１９のフローチャートにおいて、色・ｍｉｎ〔ｉ〕＝Ｒｆ〔ｉ〕を判断し（Ｓ２０２）、条件を満たすときには、色〔ｉ〕＝シアンとする（Ｓ２０３）。条件を満たさないときには、色・ｍｉｎ〔ｉ〕＝Ｇｆ〔ｉ〕を判断し（Ｓ２０４）、条件を満たすときには、色〔ｉ〕＝マゼンタとする（Ｓ２０５）。このとき、後段の色が優先されることになり、ステップＳ２０３において色〔ｉ〕＝シアンとした場合でも、ステップＳ２０５において色〔ｉ〕＝マゼンタとしたときには、マゼンタが優先され、色をマゼンタとする。以下、同様に、色・ｍａｘ〔ｉ〕＝Ｇｆ〔ｉ〕のときには色〔ｉ〕＝緑色とし（Ｓ２０６，Ｓ２０７）、前工程でマゼンタとした場合でも、緑色が優先されることになる。さらに、同様に、色・ｍａｘ〔ｉ〕＝Ｂｆ〔ｉ〕のときには色〔ｉ〕＝青色とし（Ｓ２０８，Ｓ２０９）、色・ｍａｘ〔ｉ〕＝Ｒｆ〔ｉ〕のときには色〔ｉ〕＝赤色とし（Ｓ２１０，Ｓ２１１）、色・ｍｉｎ〔ｉ〕＝Ｂｆ〔ｉ〕のときには黄色とする（Ｓ２１２，Ｓ２１３）。結果として、黄色が最も優先されることになるが、これよりも前フローではフロー中における条件を満たす最終の色が当該受光エリアの色として判定されることになる。このフローについても、ｉ＝０〜５まで繰り返すことで（Ｓ２１４）、各測光エリアＡ０〜Ａ５の色がそれぞれ判定される。
【００２９】
前記領域測色補正値演算処理Ｓ２７は、判定された各測光エリアの色に基づいて、各測光エリア毎の被写体色の相違による測色補正値ＣＣ〔ｉ〕を演算するものであり、図２０にフローチャートを示す。ここでは、測色補正値ＣＣ〔ｉ〕を予め設定した値を選択する場合を示している。すなわち、ｉ＝０に設定し（Ｓ２２１）、以後ｉ＝５に達するまで、フローを繰り返す（Ｓ２２２）。先ず、色〔ｉ〕＝無色であるかを判断し（Ｓ２２３）、条件を満たすときにはＣＣ〔ｉ〕＝０とする（Ｓ２２４）。条件を満たさないときには、色〔ｉ〕＝シアンであるかを判断し（Ｓ２２５）、条件を満たすときにはＣＣ〔ｉ〕＝Ｃとする（Ｓ２２６）。シアンでないときには、色〔ｉ〕＝マゼンタであるかを判断し（Ｓ２２７）、条件を満たすときにはＣＣ〔ｉ〕＝Ｍとする（Ｓ２２８）。同様にして、色〔ｉ〕がいずれの色であるかを順次判断し（Ｓ２２９，Ｓ２３１，Ｓ２３３，Ｓ２３５）、色〔ｉ〕が緑色のときにはＣＣ〔ｉ〕＝Ｇとし（Ｓ２３０）、色〔ｉ〕が青色のときにはＣＣ〔ｉ〕＝Ｂとし（Ｓ２３２）、色〔ｉ〕が赤色のときにはＣＣ〔ｉ〕＝Ｒとし（Ｓ２３４）、色〔ｉ〕が黄色のときにはＣＣ〔ｉ〕＝Ｙとする（Ｓ２３６）。しかる後、ｉを１加算し（Ｓ２３７）、このフローをｉ＝０〜５まで繰り返すことで、各測光エリアＡ０〜Ａ５における測色補正値ＣＣ〔ｉ〕がそれぞれ演算される。このように得られた測色補正値ＣＣ〔ｉ〕を、図２１に示すようにＹ，Ｍ，Ｃ，Ｂ，Ｇ，Ｒのいずれかに対応させることで、測色補正値ＣＣ〔ｉ〕を得ることができる。
【００３０】
一方、前記領域測色補正値演算処理Ｓ２７として、図２２のフローチャートに示すように、演算により測色補正値ＣＣ〔ｉ〕を求めるようにしてもよい。なお、この図２２のフローチャートは、先の図２０のフローチャートと共通するフローを有しており、ここでは、図２０のフローチャートのステップＳ２２６，Ｓ２２８，Ｓ２３０，Ｓ２３２，Ｓ２３４，Ｓ２３６では、ＣＣ〔ｉ〕を決定する際に、図２１に示したＹ，Ｍ，Ｃ，Ｂ，Ｇ，Ｒの値に固定的に設定していたのに代えて、それぞれＣＣ〔ｉ〕を前工程までに得られたパラメータや設定値等に基づいて演算により求めている。すなわち、ステップＳ２４１では、色〔ｉ〕＝シアンと判断されたときには、測色補正値ＣＣ〔ｉ〕を次のように演算する。
ＣＣ〔ｉ〕＝ＣＣ係数・ｃ１〔ｉ〕×（Ｒｆ〔ｉ〕−判定値・ｃ１〔ｉ〕）＋ＣＣ調整値・ｃ１〔ｉ〕
同様に、色〔ｉ〕＝マゼンタと判断されたときには、Ｓ２４２において、
ＣＣ〔ｉ〕＝ＣＣ係数・ｍ１〔ｉ〕×（Ｇｆ〔ｉ〕−判定値・ｍ１〔ｉ〕）＋ＣＣ調整値・ｍ１〔ｉ〕
色〔ｉ〕＝緑色と判断されたときには、Ｓ２４３において、
ＣＣ〔ｉ〕＝ＣＣ係数・ｇ１〔ｉ〕×（Ｇｆ〔ｉ〕−判定値・ｇ１〔ｉ〕）＋ＣＣ調整値・ｇ１〔ｉ〕
色〔ｉ〕＝青色と判断されたときには、Ｓ２４４において、
ＣＣ〔ｉ〕＝ＣＣ係数・ｂ１〔ｉ〕×（Ｂｆ〔ｉ〕−判定値・ｂ１〔ｉ〕）＋ＣＣ調整値・ｂ１〔ｉ〕
色〔ｉ〕＝赤色と判断されたときには、Ｓ２４５において、
ＣＣ〔ｉ〕＝ＣＣ係数・ｒ１〔ｉ〕×（Ｒｆ〔ｉ〕−判定値・ｒ１〔ｉ〕）＋ＣＣ調整値・ｒ１〔ｉ〕
色〔ｉ〕＝黄色と判断されたときには、Ｓ２４６において、
ＣＣ〔ｉ〕＝ＣＣ係数・ｙ１〔ｉ〕×（Ｂｆ〔ｉ〕−判定値・ｙ１〔ｉ〕）＋ＣＣ調整値・ｙ１〔ｉ〕
このフローをｉ＝０〜５まで繰り返すことで（Ｓ２３７）、各測光エリアＡ０〜Ａ５における測色補正値ＣＣ〔ｉ〕がそれぞれ演算される。
【００３１】
しかる上で、各測光エリア毎に得られた測色補正値ＣＣ〔ｉ〕を演算するＣＣ演算処理Ｓ２８は、図２３にフローチャートを示すように、各測光エリアの測色補正値ＣＣ〔ｉ〕について、単純平均処理、中央重点処理、最大値処理等によって全測光エリアの測色補正値ＣＣを算出する（Ｓ２５１）。単純平均処理は、各測光エリアの単純平均であり、
ＣＣ＝（ＣＣ〔０〕＋ＣＣ〔１〕＋ＣＣ〔２〕＋ＣＣ〔３〕＋ＣＣ〔４〕＋ＣＣ〔５〕）÷６
で求められる。また、中央重点処理は、中央領域の重み付けを大きくする処理であり、
ＣＣ＝［（ＣＣ〔０〕×４）＋ＣＣ〔５〕＋（ＣＣ〔１〕＋ＣＣ〔２〕＋ＣＣ〔３〕＋ＣＣ〔４〕）×３／４］÷８
で求められる。さらに、最大値処理は、ＣＣ〔ｉ〕のうち、最も大きな値のものを選択する処理である。すなわち、
ＣＣ＝ｍａｘ（ＣＣ〔０〕，ＣＣ〔１〕，ＣＣ〔２〕，ＣＣ〔３〕，ＣＣ〔４〕，ＣＣ〔５〕）
である。
【００３２】
以上のように測色処理において、測色補正値ＣＣを得ることができ、この測色補正値ＣＣを、図７に示した露出値測色補正処理Ｓ１７において、露出値演算処理Ｓ１５で求めた露出値Ｌｖｄを補正し、最終的な露出値Ｌｖｄとする。この計算式は前記したように、
Ｌｖｄ＝Ｌｖｄ＋ＣＣ
である。そして、この補正された露出値Ｌｖｄに基づいて、露出制御装置において、カメラの露出制御を行うことにより、被写体の色の違い、換言すれば被写体の反射率の違いにかかわらず、反射率の影響を低減し、適正露出での撮影が可能となる。特に、測色測光手段の測光出力により被写体の色として黄色を判定したときには露出補正量を露出オーバ方向に決定し、青色または赤色を判定したときには露出補正量を露出アンダー方向に決定することで、従来において特に顕著な問題となっていたこれらの色間の反射率の違いによる露出誤差を解消することが可能となる。また、本発明においては、定常光用測光センサ及びＲ，Ｇ，Ｂ等の複数の測色用測光センサの各測光面を複数の測光エリアに分割し、これらの分割した各測光エリア毎に測光した測光値に基づいて露出値の決定と露出補正値の決定を行うことにより、被写体の色が一の色に偏っている場合、あるいは多色で構成される場合のいずれの場合でも適正な露出補正量の決定が可能となる。
【００３３】
ここで、前記実施形態では、図３（ａ）に示したように、定常光用測光センサ９Ｄをペンタプリズム５の接眼光学系側の中央上部に配置しているので、被写体に対しては左右の中央位置に定常光用測光センサ９Ｄが位置されることになり、定常光用測光センサ９Ｄにおける測光感度分布を左右対称とし、測光の重要度の高い被写体中央部での測光精度を高いものにすることが可能である。すなわち、ペンタプリズム５の中央部では、撮影レンズ２の光軸とペンタプリズム５の接眼光学系６の光軸とのなす角度の差が小さくできるため、被写体の撮影画角をほぼ定常光用測光センサ９Ｄによって測光することが可能となるからである。
【００３４】
また、前記実施形態では、定常光測光を行うための定常光用測光センサ９ＤをＢ，Ｇ，Ｒ用の各測光センサ９Ｂ，９Ｇ，９Ｒとは別に独立した測光センサとして設けているが、Ｇ用の測光センサ９Ｇの受光特性は５４０ｎｍ近傍にピークを有しており、視感度分布特性に近い定常光用測光センサ９Ｄの特性に近いので、図３（ｂ）に示すように、定常光用測光センサ９ＤをＧ用の測光センサ９Ｇで兼用してもよい。この場合には、図７に示したゼネラルフローの処理Ｓ１１〜Ｓ１５については、Ｇ用の測光センサ９Ｇの測光出力Ｂｖａｄ・ｇをＢｖａｄに置き換えて演算を行えばよい。このように、定常光用測光センサ９ＤをＧ用の測光センサ９Ｇで構成することにより、測光装置を３つの測光センサで構成することが可能となり、ペンタプリズムの接眼光学系側に配置する測光センサの数を図３（ａ）の構成の場合に比較して１個低減することができ、コストの低減が図れるとともに、測光センサの配置スペースを低減してカメラボディの小型化が可能となる。また、この場合に図３（ｂ）のように、Ｇ用の測光センサ９Ｇを定常光用測光センサ９Ｄと同様にペンタプリズム５の接眼光学系側の中央上部に配置することにより、Ｇ用の測光センサ９Ｇにおける測光感度分布を左右対称として測光精度を高いものにすることも可能である。
【００３５】
【発明の効果】
以上説明したように本発明は、視感度特性に近い分光感度特性の定常光測光手段の測光出力に基づいて露出量決定手段が被写体の露出量を決定する一方で、定常光測光手段とは異なる分光感度特性の複数の測色用測光手段の測光出力に基づいて露出補正量決定手段が被写体の色を判定し、かつ判定した色に基づいて露出補正量を決定し、さらに決定された露出量を決定された露出補正量で補正して適正露出量を決定する構成であるので、被写体の色の相違、すなわち被写体の反射率の相違にかかわらず、適正な露出を決定することが可能となる。特に、測色測光手段の測光出力により被写体の色として黄色を判定したときには露出補正量を露出オーバ方向に決定し、青色または赤色を判定したときには露出補正量を露出アンダー方向に決定することで、従来において特に顕著な問題となっていたこれらの色間の反射率の違いによる露出誤差を解消することが可能となる。また、マゼンタ色、シアン色、緑色を判定したときには露出補正量を零に決定する。
【００３６】
また、本発明においては、定常光測光手段及び複数の測色用測光手段は、それぞれ測光面が複数の測光エリアに分割され、前記露出量決定手段及び露出補正量決定手段は前記各測光エリア毎に測光した測光出力に基づいて露出量の決定と露出補正量の決定を行う構成とすることで、被写体の色が一の色に偏っている場合、あるいは多色で構成される場合のいずれの場合でも適正な露出補正量の決定が可能となる。
【００３７】
さらに、本発明の測光装置を一眼レフカメラの測光装置として適用する場合に、ペンタプリズムの接眼光学系側の中央上部に定常光用の測光センサを配置することで、定常光用の測光センサでの左右対称性を確保し、撮影レンズに対する光軸ずれを少なくし、測光精度を高めることが可能となる。また、本発明では、定常光用の測光センサを測色用測光センサの１つ、すなわち緑色用測光センサと兼用してその緑色用測光センサの測光出力を定常光測光手段での測光出力とすることで、定常光用測光センサを省略することが可能であり、測光センサの個数が低減でき、コスト削減及び配置スペースの低減に伴うカメラの小型化が可能となる。
【図面の簡単な説明】
【図１】本発明の測光装置を装備した一眼レフカメラの模式的な斜視図である。
【図２】図１のカメラの要部の側面構成図である。
【図３】ペンタプリズムを背面側から見た測光センサの配置状態を示す図である。
【図４】測光センサの分割した測光エリアを示す図である。
【図５】測光センサの分光感度特性を示す図である。
【図６】カメラ回路構成の概略ブロック図である。
【図７】本発明の測光装置の測光動作のゼネラルフローチャートである。
【図８】レンズ通信処理のフローチャートである。
【図９】測光センサ出力Ｂｖｄ演算処理のフローチャートである。
【図１０】開放測光補正演算処理のフローチャートである。
【図１１】露出値演算処理のフローチャートである。
【図１２】測色処理のフローチャートである。
【図１３】光源補正値演算処理のフローチャートである。
【図１４】光源差補正処理のフローチャートである。
【図１５】測色パラメータ算出処理のフローチャートである。
【図１６】測色定数設定処理のフローチャートである。
【図１７】測色定数の一例を示す図である。
【図１８】測色判定処理のフローチャートのその１である。
【図１９】測色判定処理のフローチャートのその２である。
【図２０】領域測色補正値演算処理のフローチャートである。
【図２１】測色補正値の一例を示す図である。
【図２２】領域測色補正値演算処理の変形フローのフローチャートである。
【図２３】ＣＣ演算処理のフローチャートである。
【符号の説明】
１  カメラボディ
２  撮影レンズ
５  ペンタプリズム
６  接眼光学系
９  測光センサ
９Ｄ  定常光用測光センサ
９Ｇ  緑用測光センサ
９Ｂ  青用測光センサ
９Ｒ  赤用測光センサ
１１  レンズＲＯＭ
２０  制御回路
２６  ＥＥＰＲＯＭ
２７  ＲＡＭ
【図１】
0004489265.tif 000002
【図２】
0004489265.tif 000003
【図３】
0004489265.tif 000004
【図４】
0004489265.tif 000005
【図５】
0004489265.tif 000006
【図６】
0004489265.tif 000007
【図７】
0004489265.tif 000008
【図８】
0004489265.tif 000009
【図９】
0004489265.tif 000010
【図１０】
0004489265.tif 000011
【図１１】
0004489265.tif 000012
【図１２】
0004489265.tif 000013
【図１３】
0004489265.tif 000014
【図１４】
0004489265.tif 000015
【図１５】
0004489265.tif 000016
【図１６】
0004489265.tif 000017
【図１７】
0004489265.tif 000018
【図１８】
0004489265.tif 000019
【図１９】
0004489265.tif 000020
【図２０】
0004489265.tif 000021
【図２１】
0004489265.tif 000022
【図２２】
0004489265.tif 000023
【図２３】
0004489265.tif 000024